(57)【要約】【課題】ＣＡＤ設計者による最適部品の検索と部品情報の収集／蓄積、部品調達手配などを容易にし、自社の製品設計／製造管理システムへ応用できる仕組みを実現し、部品メーカにとっても営業効果の拡大化を図ることを可能とする部品情報支援方法を提供する。【解決手段】部品データに関してユーザ端末からの検索要求を受け付け、検索要求に対応する部品データの格納場所を特定するためのリンクアドレスを取得し、リンクアドレスから取得した部品データをユーザ端末に送信する特定Ｗｅｂサイトを提供し、ＣＡＤシステムで必要となる部品データに関してＷｅｂブラウザを介して特定Ｗｅｂサイトに検索要求を行い、部品データの格納場所を特定するためのリンクアドレスおよび部品データを特定Ｗｅｂサイトを介して受信するＣＡＤ／ブラウザ連携処理手段を構成する。【選択図】　　　図５
2004078486.tif 000002
【特許請求の範囲】
【請求項１】
部品メーカがインターネット上で公開する部品のカタログデータ、部品詳細データ、ＣＡＤ図面データなどの部品データに関してユーザ端末からの検索要求を受け付け、前記検索要求に対応する部品データの格納場所を特定するためのリンクアドレスを取得し、前記リンクアドレスから取得した部品データを前記ユーザ端末に送信する特定Ｗｅｂサイトを提供し、
前記ユーザ端末に設定されるＣＡＤシステムとＷｅｂブラウザとを連携させて前記ＣＡＤシステムで必要となる部品データに関して前記Ｗｅｂブラウザを介して前記特定Ｗｅｂサイトに検索要求を行い、前記検索要求に対応する部品データの格納場所を特定するためのリンクアドレスおよび部品データを前記特定Ｗｅｂサイトを介して受信するＣＡＤ／ブラウザ連携処理手段を構成する、
部品情報支援方法。
【請求項２】
前記特定Ｗｅｂサイトは、前記部品データの格納場所を特定するためのリンクアドレスを取得してリンクアドレスデータベースを構築することを特徴とする、請求項１に記載の部品情報支援方法。
【請求項３】
前記特定Ｗｅｂサイトは、前記ユーザ端末からの要求に応じて部品一覧情報を作成して前記ユーザ端末に送信するとともに必要な部品データを選択させることを特徴とする、請求項２に記載の部品情報支援方法。
【請求項４】
前記特定Ｗｅｂサイトは、前記ユーザ端末が選択した部品データに基づいてリンクアドレスデータベースを参照し、該当する部品データに関連付けられるリンクアドレスが前記リンクアドレスデータベースに存在する場合にはそのリンクアドレスにアクセスし、該当する部品データに関連付けられるリンクアドレスが前記リンクアドレスデータベースに存在しない場合には該当する部品メーカのＷｅｂサイトをインターネット上で検索してリンクアドレスを取得し、取得したリンクアドレスを前記リンクアドレスデータベースに蓄積するとともに、前記リンクアドレスにアクセスして、該当する部品データを取得して前記ユーザ端末に送信する、請求項３に記載の部品情報支援方法。
【請求項５】
部品メーカがインターネット上で公開する部品のカタログデータ、部品詳細データ、ＣＡＤ図面データなどの部品データに関してユーザ端末からの検索要求を受け付ける検索受付手段と、
前記検索要求に対応する部品データの格納場所を特定するためのリンクアドレスを取得するリンクアドレス取得手段と、
前記リンクアドレスから取得した部品データを前記ユーザ端末に送信する部品データ送信手段と、
前記部品データの格納場所を特定するためのリンクアドレスを蓄積するリンクアドレスデータベースと、
を備える部品情報支援システム。
【発明の詳細な説明】
【０００１】
【発明の属する技術分野】
本発明は、ＣＡＤ（Ｃｏｍｐｕｔｅｒ　Ａｉｄｅｄ　Ｄｅｓｉｇｎ）システムなどのコンピュータ装置を利用した製品設計／製造を行う分野において、部品メーカが提供する部品情報およびＣＡＤ設計用図面データのうちから設計に最適な部品を検索しＣＡＤシステムに取り込むことを可能とする部品情報支援方法および装置に関する。
【０００２】
【従来の技術】
ＣＡＤシステムなどのコンピュータ装置を利用した製品設計／製造では、部品メーカから提供される部品情報を利用する場合には、製品設計を行う利用者がその各々の部品メーカのサービス方法に準じて部品情報を取得している。部品情報の提供形態は、各社独自のＷｅｂサイトで情報発信を行ったり、ＣＤ−ＲＯＭなどの電子カタログを配布する方法などがある。
【０００３】
利用者が設計に利用する最適な部品を検索する場合には、部品メーカ各社が提供しているＷｅｂサイトに利用者自身がインターネットを介して訪問し、多数の部品情報の中から最適と思われる部品を利用者が検索することを行っている。
また、ＣＤ−ＲＯＭにより電子カタログが提供されているような場合には、メーカ毎にＣＤ−ＲＯＭを切り換えて検索し、部品情報を入手する必要がある。
【０００４】
設計に利用する部品のＣＡＤ図面データは、部品の詳細情報とともに部品メーカが提供している場合が多いが、利用者のＣＡＤシステムに利用するためにはデータ変換を必要とする場合があり、利用者による手動操作が必要である。また、部品のＣＡＤ図面データが部品メーカから提供されていない場合には、部品の詳細情報と対応するようなＣＡＤ図形をＣＡＤシステム上で作成し、これを登録して用いる必要がある。
【０００５】
さらに、製品設計／製造で必要となる部品については、部品メーカが提供する各部品の詳細情報をデータベース化し、設計部門でメンテナンスを実施しているのが現状である。
【０００６】
【発明が解決しようとする課題】
前述のようにして、製品設計を行う製品設計者にとって、最適部品を検索してその部品情報を入手するためには、非常な時間と労力を必要とする。たとえば、各部品メーカが提供する部品情報は、自社製品のみを独自のＷｅｂサイトで発信しているので、製品設計者が求める最適部品を検索するためには、各社のＷｅｂサイト上での操作方法を把握する必要があり、検索した部品情報も最適と思われる部品メーカ各社のものを集めて、設計者自身が比較検討する必要がある。さらに、検索した最適部品の情報を蓄積するためには、自社のデータベース形式に合わせてデータを加工する必要があり、部品のＣＡＤ図面データと実際に調達する部品の詳細情報との関連性を維持するためには、マニュアル操作によりデータのメンテナンスが必要となる。
【０００７】
また、製品設計／製造で必要な部品の詳細情報については、各部品メーカが提供する部品の提供販売情報が変更されるたびに、設計部門では膨大なデータベースの更新、メンテナンスを実施する必要がある。
さらに、部品メーカ各社にとっては、新規顧客の開拓や小口販売への対応へと販売規模の拡大化を図るために、Ｗｅｂサイトの利用者の情報や部品の詳細データがどのように利用されたかを把握することが有用である。
【０００８】
本発明は、ＣＡＤ設計者による最適部品の検索と部品情報の収集／蓄積、部品調達手配などを容易にし、メンテナンスの必要な部品の詳細情報に関してデータベース化を不要とし、自社の製品設計／製造管理システムへ応用できる仕組みを実現し、部品メーカにとっても営業効果の拡大化を図ることを可能とする部品情報支援方法を提供することを目的とする。
【０００９】
【課題を解決するための手段】
本発明に係る部品情報支援方法は、部品メーカがインターネット上で公開する部品のカタログデータ、部品詳細データ、ＣＡＤ図面データなどの部品データに関してユーザ端末からの検索要求を受け付け、検索要求に対応する部品データの格納場所を特定するためのリンクアドレスを取得し、リンクアドレスから取得した部品データを前記ユーザ端末に送信する特定Ｗｅｂサイトを提供し、ユーザ端末に設定されるＣＡＤシステムとＷｅｂブラウザとを連携させてＣＡＤシステムで必要となる部品データに関してＷｅｂブラウザを介して特定Ｗｅｂサイトに検索要求を行い、検索要求に対応する部品データの格納場所を特定するためのリンクアドレスおよび部品データを特定Ｗｅｂサイトを介して受信するＣＡＤ／ブラウザ連携処理手段を構成する。
【００１０】
ここで、特定Ｗｅｂサイトは、部品データの格納場所を特定するためのリンクアドレスを取得してリンクアドレスデータベースを構築するように構成できる。ここでは、各部品メーカから提供される部品の詳細情報について特定Ｗｅｂサイトでデータベース管理せずに、あくまで部品情報を取得するためのリンクアドレスのみをデータベース化することで、データベースのメンテナンス管理を簡素化できるように構成する。
【００１１】
また、特定Ｗｅｂサイトは、ユーザ端末からの要求に応じて部品一覧情報を作成してユーザ端末に送信するとともに必要な部品データを選択させるように構成できる。
さらに、特定Ｗｅｂサイトは、ユーザ端末が選択した部品データに基づいてリンクアドレスデータベースを参照し、該当する部品データに関連付けられるリンクアドレスがリンクアドレスデータベースに存在する場合にはそのリンクアドレスにアクセスし、該当する部品データに関連付けられるリンクアドレスがリンクアドレスデータベースに存在しない場合には該当する部品メーカのＷｅｂサイトをインターネット上で検索してリンクアドレスを取得し、取得したリンクアドレスをリンクアドレスデータベースに蓄積するとともに、リンクアドレスにアクセスして、該当する部品データを取得してユーザ端末に送信するように構成できる。
【００１２】
また、特定Ｗｅｂサイトは、ユーザ端末からの検索要求およびユーザ端末に送信した部品データに関連付けられるリンクアドレスなどの利用者アクセス情報を蓄積し、利用者アクセス情報を各部品メーカに提供するように構成できる。
ユーザ端末は、特定Ｗｅｂサイトを介して部品データを取得し、部品データに含まれるＣＡＤ図面データをＣＡＤライブラリに登録するとともに、このＣＡＤ図面データとリンクアドレスが配置されたＣＡＤ図面をＣＡＤ図面データベースに格納するように構成できる。
【００１３】
また、ユーザ端末は、該当する部品データを取得した際に、ＣＡＤライブラリに登録されているＣＡＤ図面データの変更の必要があるか否かを判断し、変更の必要がある場合にはＣＡＤライブラリの情報を更新するように構成できる。この場合にも、ユーザ端末側で部品の詳細情報をデータベース化せずに、ＣＡＤ図面データのみをＣＡＤライブラリに登録することで、データベースのメンテナンスを不要としている。
本発明に係る部品情報支援システムは、部品メーカがインターネット上で公開する部品のカタログデータ、部品詳細データ、ＣＡＤ図面データなどの部品データに関してユーザ端末からの検索要求を受け付ける検索受付手段と、検索要求に対応する部品データの格納場所を特定するためのリンクアドレスを取得するリンクアドレス取得手段と、リンクアドレスから取得した部品データをユーザ端末に送信する部品データ送信手段と、部品データの格納場所を特定するためのリンクアドレスを蓄積するリンクアドレスデータベースとを備える。
【００１４】
ここで、検索受付手段は、ユーザ端末からの要求に応じて部品一覧情報を作成してユーザ端末に送信するとともに必要な部品データを選択させるように構成できる。
また、リンクアドレス取得手段は、ユーザ端末が選択した部品データに基づいてリンクアドレスデータベースを参照し、該当する部品データに関連付けられるリンクアドレスがリンクアドレスデータベースに存在する場合にはそのリンクアドレスにアクセスし、該当する部品データに関連付けられるリンクアドレスがリンクアドレスデータベースに存在しない場合には該当する部品メーカのＷｅｂサイトをインターネット上で検索してリンクアドレスを取得し、取得したリンクアドレスをリンクアドレスデータベースに蓄積するように構成できる。
【００１５】
さらに、ユーザ端末からの検索要求およびユーザ端末に送信した部品データに関連付けられるリンクアドレスなどの利用者アクセス情報を蓄積する利用者アクセス情報蓄積手段と、利用者アクセス情報を各部品メーカに提供する利用者アクセス情報提供手段とをさらに含む構成とすることができる。
【００１６】
【発明の実施の形態】
本発明の１実施形態について図に基づいて説明する。
ユーザ端末１には、製品設計／製造を行うためのＣＡＤシステム１１０と、インターネットを介して種々のＷｅｂサイトにアクセス可能なブラウザ１２０とがインストールされている。ユーザ端末１は、さらに、ＣＡＤシステム１１０で必要となる部品データをブラウザ１２０を介して取得するためにＣＡＤシステム１１０とブラウザ１２０とを連携させるＣＡＤ／ブラウザ連携処理部１３０、特定Ｗｅｂサイト２へのアクセスを行うための特定ＷｅｂサイトＵＲＬ送信部１２１、特定Ｗｅｂサイト２から取得した部品一覧をブラウザ１２０上で展開して表示する部品一覧メニュー表示部１４０、部品一覧からユーザが必要な部品選択指示を受け付けるための部品選択処理部１４１、ユーザが選択した部品選択指示に基づく提供企業情報を特定Ｗｅｂサイトに送信する提供企業情報送信部１４２、特定Ｗｅｂサイト２から送信されてくる部品詳細情報を受信する部品詳細情報受信部１５０、受信した部品詳細情報をブラウザ１２０上で展開して表示させる部品詳細情報表示部１５１、ＣＡＤ／ブラウザ連携処理部１３０を介して提供企業情報、ＣＡＤ図面データを取得するデータ取得部１３１、ＣＡＤシステム１１０で作成されたＣＡＤデータを蓄積するＣＡＤ図面データベース１１１、部品のＣＡＤ図面データや提供企業情報などを蓄積するＣＡＤライブラリ１１２などを備えている。
【００１７】
特定Ｗｅｂサイト２は、ユーザ端末１からの要求に応じて部品一覧情報を送信する部品一覧情報送信部２１０、ユーザ端末１からの要求に応じて部品メーカを選択する部品メーカ選択部２２１と部品データを検索するための部品検索部２２２を含む提供企業情報変換部２２０、部品データに関して参照先のＵＲＬを送信して該当する部品メーカへのアクセスを行う参照先ＵＲＬ送信部２３０、部品データを参照するための部品メーカのＷｅｂサイト上のＵＲＬを蓄積するリンクアドレスデータベース２４０、ユーザ端末１からの検索要求に応じてアクセスを行ったＵＲＬ情報などを蓄積する利用者アクセス情報データベース２５０、ユーザ端末１からの要求に応じて参照した部品メーカのＵＲＬを取得してリンクアドレスデータベース２４０に格納する参照先ＵＲＬ格納処理部２６０、ユーザ端末１からの要求に該当する部品データを受信する部品詳細情報受信部２８０、受信した部品詳細情報をユーザ端末１に送信する部品詳細情報送信部２７０などを備えている。
【００１８】
特定Ｗｅｂサイト２は、インターネットを介して各部品メーカのＷｅｂサイトにアクセス可能となっており、たとえば、部品メーカＡのＷｅｂサイト３−１に設定されている部品データベース３１−１、部品メーカＢのＷｅｂサイト３−２に設定されている部品データベース３１−２、部品メーカＣのＷｅｂサイト３−３に設定されている部品データベース３１−３にアクセスを行い、ユーザ端末１からの要求に応じた部品データを取得してユーザ端末１に送信する。
【００１９】
ユーザ端末１は、製品設計／製造に用いられる部品を調達するための部品調達ＥＤＩ（Ｅｌｅｃｔｒｏｎｉｃ　Ｄａｔａ　Ｉｎｔｅｒｃｈａｎｇｅ）システム４、設計・開発に関わるすべての情報を一元管理するための製品データ管理（ＰＤＭ：Ｐｒｏｄｕｃｔ　Ｄａｔａ　Ｍａｎａｇｅｍｅｎｔ）システム５などと連携させることができる。
この実施形態におけるフローチャートを図２に示す。
【００２０】
ユーザ端末１（ＣＡＤ設計部門）では、設計者によりＣＡＤシステム１１０が起動されると製品設計のためのＣＡＤ図面作成ジョブを実行し、ステップＳ１０１において、ＣＡＤ設計時に必要な部品の配置指示を受け付ける。たとえば、用意されている配置コマンドが入力された場合、この部品の配置指示があったと判断してステップＳ１０２に移行する。
【００２１】
ステップＳ１０２では、ＣＡＤ／ブラウザ連携処理部１３０により、ブラウザ１２０を介して特定Ｗｅｂサイト２にアクセスする。ここでは、特定ＷｅｂサイトＵＲＬ送信部１２１により特定Ｗｅｂサイト２のＵＲＬを送信して特定Ｗｅｂサイトへのアクセスを実行する。
特定Ｗｅｂサイト２では、ユーザ端末１からアクセスがあると、ステップＳ２０１において部品一覧情報をユーザ端末１に送信する。ここでは、部品一覧情報送信部２１０からユーザ端末１の部品一覧メニュー表示部１４０に対して部品一覧情報を送信し、ブラウザ１２０による部品一覧メニューの表示を行わせる。
【００２２】
部品一覧メニュー情報は、たとえば表１に示すようなテーブルで構成することができる。表１に示す部品一覧メニュー情報は、部品種別、部品仕様、選定部品コードなどの項目で構成されており、部品種別欄と部品仕様欄で特定される部品に対して、特定Ｗｅｂサイト２で設定される選定部品コードが付されて表示される。
【００２３】
【表１】
2004078486.tif 000003
ユーザ端末１において、特定Ｗｅｂサイト２から部品一覧情報が送信されてくると、部品一覧メニュー表示部１４０によりブラウザ１２０に部品一覧メニュー情報を表示し、ユーザによる部品選択指示を受け付ける。
【００２４】
ステップＳ１０３においてユーザからの部品選択指示を受け付けた場合には、ステップＳ１０４に移行する。
ステップＳ１０４では、部品の提供企業情報を決定し、特定Ｗｅｂサイト２にこの提供企業情報を送信する。ここでは、部品選択処理部１４１によりユーザからの部品選択指示を受け付け、この部品選択指示に基づいて特定される部品の提供企業情報を提供企業情報送信部１４２から特定Ｗｅｂサイト２に送信する。
【００２５】
特定Ｗｅｂサイト２では、ステップＳ２１１において、ユーザ端末１から受信した提供企業情報に基づいて、特定Ｗｅｂサイト２で管理している部品メーカコードを選択する。また、ステップＳ２１２において、特定Ｗｅｂサイト２は、ユーザ端末１から受信した提供企業情報に基づいて該当部品を検索し、部品コードを特定する。
【００２６】
提供企業情報は、たとえば、表２に示すようなテーブルで構成される。
【００２７】
【表２】
2004078486.tif 000004
ここでは、提供企業情報は、選定部品コード、部品メーカＡ社コード、Ａ社部品コード、部品メーカＢ社コード、Ｂ社部品コード、部品メーカＣ社コード、Ｃ社部品コードなどで構成さている。特定Ｗｅｂサイト２で設定された選定部品コードに対して、各社（Ａ社〜Ｃ社）のコードと、各社における対応部品の部品コードを管理している。提供企業情報が送信されてくると、提供企業情報変換部２２０の部品メーカ選択部２２１が提供企業情報テーブルを参照して部品メーカを特定するとともに、部品検索部２２２がその部品メーカにおける部品コードを特定する。
【００２８】
ステップＳ２１３では、特定した提供企業情報に基づいて参照先ＵＲＬを検索する。ここでは、リンクアドレスデータベース２４０を検索して、該当する部品メーカのＷｅｂサイトのＵＲＬを抽出する。リンクアドレスデータベース２４０では、表３に示すような参照先ＵＲＬ情報テーブルを管理している。
【００２９】
【表３】
2004078486.tif 000005
この表３に示す参照先ＵＲＬ情報テーブルでは、部品メーカコード、部品コード、部品参照先ＵＲＬ情報の項目を備えており、ステップＳ２１１で特定された部品メーカコードとステップＳ２１２で特定された部品コードに基づいて、参照先ＵＲＬ情報テーブルを参照し、参照先ＵＲＬ情報を取得する。
【００３０】
ステップＳ２１４では、参照先ＵＲＬ情報を送信して該当する部品メーカのＷｅｂサイトへのアクセスを実行する。ここでは、取得した参照先ＵＲＬを参照先ＵＲＬ送信部２３０により送信し、該当する部品メーカのＷｅｂサイトへのアクセスを行う。
特定Ｗｅｂサイト２では、ステップＳ２１５において、ユーザ端末１からの検索要求やアクセスを行った部品メーカのＵＲＬ情報などに基づいて利用者アクセス情報を作成し、これを利用者アクセス情報データベース２５０に蓄積する。
【００３１】
特定Ｗｅｂサイト２からのアクセスを受け付けた部品メーカ（３−１〜３−３）では、ステップＳ３０１において、商品データに関するデータベース（３１−１〜３１−３）内を検索し、該当する部品の詳細情報を特定Ｗｅｂサイト２に送信する。
特定Ｗｅｂサイト２では、ステップＳ２２１において、部品メーカのＷｅｂサイトから送信されてくる部品の詳細情報を受信する。ここでは、部品詳細情報受信部２８０により該当部品の詳細情報を受信する。
【００３２】
ステップＳ２２２では、参照先ＵＲＬが特定Ｗｅｂサイトで管理しているＵＲＬ情報に存在しているか否かを判別する。リンクアドレスデータベース２４０内に参照先ＵＲＬ情報がないと判断した場合にはステップＳ２２３に移行する。
ステップＳ２２３では、参照先ＵＲＬ情報をリンクアドレスデータベース２４０に格納する。ここでは、参照先ＵＲＬ格納処理部２６０により、該当する参照ＵＲＬ情報をリンクアドレスデータベース２４０に格納する。
【００３３】
リンクアドレスデータベース２４０に格納される部品の詳細情報は、たとえば、表４に示すような構成とすることができる。
【００３４】
【表４】
2004078486.tif 000006
この表４の例では、ＵＲＬ情報、部品コード、部品種別、部品メーカコード、部品メーカ名、価格、重量、部品技術情報表示部、ＣＡＤ図形表示部などのデータで構成される。各部品メーカのＷｅｂサイトにより、部品データの形式が異なる場合があり、このような部品データを特定Ｗｅｂサイト２において所定のデータ形式に変換してリンクアドレスデータベース２４０内に格納することとする。部品メーカのＷｅｂサイトにおいて、部品のＣＡＤ図面データを用意していないような場合には、特定Ｗｅｂサイト２において、部品技術情報などからＣＡＤ図面データを作成し。これをＣＡＤ図形表示部に格納するように構成することも可能である。
【００３５】
ステップＳ２２４では、特定Ｗｅｂサイト２より部品の詳細情報をユーザ端末１に送信する。ここでは、部品詳細情報受信部２８０で受信した部品データに基づいて、特定Ｗｅｂサイト２でデータ形式を統一化した部品データを部品詳細情報送信部２７０によりユーザ端末１に送信するように構成することができる。
ユーザ端末１では、ステップＳ１１１において、部品詳細情報を受信する。部品詳細情報受信部１５０は、特定Ｗｅｂサイト２の部品詳細情報送信部２７０から送信されてきた部品データを受信する。
【００３６】
ステップＳ１１２では、受信した部品データをブラウザ１２０に表示する。ここでは、部品詳細情報表示部１５１により部品データをブラウザ１２０に表示する。
ステップＳ１１３では、ＣＡＤ／ブラウザ連携処理部１３０を介して部品の提供企業情報とＣＡＤ図面データをＣＡＤシステム１１０に送信する。
【００３７】
ステップＳ１１４では、ＣＡＤライブラリ１１２に格納されている該当部品のＣＡＤ図面データを更新する必要があるか否かを判別する。部品データに変更があったにはＣＡＤライブラリ１１２に格納されているＣＡＤ図面データを更新する必要があると判断してステップＳ１１５に移行する。
ステップＳ１１５では、受信した部品データに基づいてＣＡＤライブラリ１１２に格納されている該当部品のＣＡＤ図面データの更新を行う。
【００３８】
ステップＳ１１６では、設計ＣＡＤ図面に部品のＣＡＤ図面データを配置し、提供企業情報を属性として関連付けて格納する。ここでは、該当する部品データを提供している企業のＷｅｂサイトのＵＲＬ情報を設計ＣＡＤ図面に関連付け、ＣＡＤ図面データベース１１１内に格納する。
〔ＣＡＤ図面への部品配置処理〕
前述した処理のうち、設計ＣＡＤ図面に部品のＣＡＤ図面データを取り込んで配置する処理を図３に基づいて説明する。
【００３９】
ＣＡＤシステム１１０が起動されて、部品配置コマンドが実行されると、ブラウザ１２０と連携して特定Ｗｅｂサイト２にアクセスを行う（図３−▲１▼）。
特定Ｗｅｂサイト２が管理している部品の一覧情報をユーザ端末１に送信して、ユーザ端末１のブラウザ１２０に表示させる（図３−▲２▼）。
ブラウザ１２０の部品一覧メニューから部品が選択されると、部品の提供企業情報（部品メーカ企業コード＋部品コード）が決定され、この提供企業情報が特定Ｗｅｂサイト２に送信される（図３−▲３▼）。
【００４０】
特定Ｗｅｂサイト２では、提供企業情報から部品メーカ企業コードと部品コードを特定し、部品メーカの参照先ＵＲＬ情報を決定してアクセスを行う（図３−▲４▼）。
該当する参照先ＵＲＬ情報の部品メーカのＷｅｂサイトでは、該当する部品の詳細情報およびＣＡＤ図面データを特定Ｗｅｂサイトに送信する（図３−▲５▼）。
【００４１】
特定Ｗｅｂサイト２では、部品の詳細情報をユーザ端末１のブラウザ１２０に送信する（図３−▲６▼）。
ユーザ端末１では、ブラウザ１２０上に選定部品に関する部品メーカ企業コード、部品コード、ＣＡＤ図面データが表示される（図３−▲７▼）。
ユーザ端末１において、ブラウザ１２０上に表示された選定部品を指示することで、ＣＡＤシステム１１０の図面内に部品のＣＡＤ図面データが配置され、部品メーカ企業コードと部品コードが属性として付与される（図３−▲８▼）。
【００４２】
ＣＡＤ図面データは、ＣＡＤライブラリ１１２に登録され、格納される（図３−▲９▼）。
〔ＣＡＤ配置部品情報参照〕
設計ＣＡＤ図面上に配置されている部品の詳細情報を参照する場合について図４に基づいて説明する。
【００４３】
ユーザ端末１のＣＡＤシステム１１０において表示される設計ＣＡＤ図面上の部品を指示することにより、部品メーカ企業コードと部品コードを取得する（図４−▲１▼）。
ＣＡＤシステム１１０とブラウザ１２０との連携によりブラウザ１２０が起動し、取得した部品メーカ企業コードと部品コードを特定Ｗｅｂサイト２に送信する（図４−▲２▼）。
【００４４】
特定Ｗｅｂサイト２では、ユーザ端末１から送信されてきた部品メーカ企業コードと部品コードに基づいて参照先ＵＲＬ情報を特定し、該当する部品メーカのＷｅｂサイトにアクセスを実行する（図４−▲３▼）。
特定Ｗｅｂサイト２からアクセスがあった部品メーカのＷｅｂサイトでは、該当する部品の詳細情報を特定Ｗｅｂサイト２に送信する（図４−▲４▼）。
【００４５】
特定Ｗｅｂサイト２では、部品メーカのＷｅｂサイトから受信した部品の詳細情報をユーザ端末１に送信する（図４−▲５▼）。
ユーザ端末１では、受信した部品の詳細情報に基づいて、部品メーカ情報と部品データをブラウザ１２０に表示する（図４−▲６▼）。
〔他システムとの情報連携〕
ＣＡＤシステム１１０において取得した部品データを他のシステムと連携して情報流通を行う場合について図５に基づいて説明する。
【００４６】
ここでは、前述したような方法により、ＣＡＤシステム１１０が部品データを取得し、設計ＣＡＤ図面内に部品メーカ企業データと部品コードを保持しているものとする。
また、ユーザ端末１は、部品メーカ企業コード＋部品コードと、部品メーカ情報＋部品詳細情報とを関連付けるためのデータベースを構築している部品表システム１６０と連携しており、さらに、この部品表システム１６０は、部品の見積照会、注文／発注などが可能な部品調達ＥＤＩシステム４、設計・開発に関わるすべての情報を一元管理するためのＰＤＭシステム５などと連携しているものとする。
【００４７】
設計ＣＡＤ図面上の部品を指示することにより、部品メーカ企業コードと部品コードを取得する（図５−▲１▼）。ユーザ端末１では、この部品メーカ企業コードと部品コードを備える部品表を抽出して部品表システム１６０に送信する。
部品表システム１６０では、ＣＡＤシステム１１０で取得した部品メーカ企業コードと部品コードを特定Ｗｅｂサイト２に送信する。特定Ｗｅｂサイト２では、送信されてくる部品メーカ企業コードと部品コードに基づいて参照先ＵＲＬ情報を決定する（図５−▲２▼）。
【００４８】
部品表システム１６０では、部品メーカ企業コードと部品コードに基づいて決定される参照先ＵＲＬ情報から部品詳細情報を取得する（図５−▲３▼）。
ＰＤＭシステム５では、部品表システム１６０から送信される部品メーカ情報と部品詳細情報とに基づいて、製品設計の構成情報をデータベースとして格納する（図５−▲４▼）。
【００４９】
部品調達ＥＤＩシステム４では、部品表システム１６０から送信される部品メーカ情報と部品詳細情報とに基づいて製品の見積照会や発注依頼を実行する（図５−▲５▼）。
＜付記＞
（付記１）
部品メーカがインターネット上で公開する部品のカタログデータ、部品詳細データ、ＣＡＤ図面データなどの部品データに関してユーザ端末からの検索要求を受け付け、前記検索要求に対応する部品データの格納場所を特定するためのリンクアドレスを取得し、前記リンクアドレスから取得した部品データを前記ユーザ端末に送信する特定Ｗｅｂサイトを提供し、
前記ユーザ端末に設定されるＣＡＤシステムとＷｅｂブラウザとを連携させて前記ＣＡＤシステムで必要となる部品データに関して前記Ｗｅｂブラウザを介して前記特定Ｗｅｂサイトに検索要求を行い、前記検索要求に対応する部品データの格納場所を特定するためのリンクアドレスおよび部品データを前記特定Ｗｅｂサイトを介して受信するＣＡＤ／ブラウザ連携処理手段を構成する、
部品情報支援方法。
【００５０】
（付記２）
前記特定Ｗｅｂサイトは、前記部品データの格納場所を特定するためのリンクアドレスを取得してリンクアドレスデータベースを構築することを特徴とする、付記１に記載の部品情報支援方法。
（付記３）
前記特定Ｗｅｂサイトは、前記ユーザ端末からの要求に応じて部品一覧情報を作成して前記ユーザ端末に送信するとともに必要な部品データを選択させることを特徴とする、付記２に記載の部品情報支援方法。
【００５１】
（付記４）
前記特定Ｗｅｂサイトは、前記ユーザ端末が選択した部品データに基づいてリンクアドレスデータベースを参照し、該当する部品データに関連付けられるリンクアドレスが前記リンクアドレスデータベースに存在する場合にはそのリンクアドレスにアクセスし、該当する部品データに関連付けられるリンクアドレスが前記リンクアドレスデータベースに存在しない場合には該当する部品メーカのＷｅｂサイトをインターネット上で検索してリンクアドレスを取得し、取得したリンクアドレスを前記リンクアドレスデータベースに蓄積するとともに、前記リンクアドレスにアクセスして、該当する部品データを取得して前記ユーザ端末に送信する、付記３に記載の部品情報支援方法。
【００５２】
（付記５）
前記特定Ｗｅｂサイトは、前記ユーザ端末からの検索要求および前記ユーザ端末に送信した部品データに関連付けられるリンクアドレスなどの利用者アクセス情報を蓄積し、前記利用者アクセス情報を各部品メーカに提供することを特徴とする、付記４に記載の部品情報支援方法。
【００５３】
（付記６）
前記ユーザ端末は、前記特定Ｗｅｂサイトを介して部品データを取得し、前記部品データに含まれるＣＡＤ図面データをＣＡＤライブラリに登録するとともに、このＣＡＤ図面データとリンクアドレスが配置されたＣＡＤ図面をＣＡＤ図面データベースに格納することを特徴とする、付記１〜５のいずれかに記載の部品情報支援方法。
【００５４】
（付記７）
前記ユーザ端末は、該当する部品データを取得した際に、前記ＣＡＤライブラリに登録されているＣＡＤ図面データの変更の必要があるか否かを判断し、変更の必要がある場合には前記ＣＡＤライブラリの情報を更新することを特徴とする、付記６に記載の部品情報支援方法。
【００５５】
（付記８）
部品メーカがインターネット上で公開する部品のカタログデータ、部品詳細データ、ＣＡＤ図面データなどの部品データに関してユーザ端末からの検索要求を受け付ける検索受付手段と、
前記検索要求に対応する部品データの格納場所を特定するためのリンクアドレスを取得するリンクアドレス取得手段と、
前記リンクアドレスから取得した部品データを前記ユーザ端末に送信する部品データ送信手段と、
前記部品データの格納場所を特定するためのリンクアドレスを蓄積するリンクアドレスデータベースと、
を備える部品情報支援システム。
【００５６】
（付記９）
前記検索受付手段は、前記ユーザ端末からの要求に応じて部品一覧情報を作成して前記ユーザ端末に送信するとともに必要な部品データを選択させることを特徴とする、付記８に記載の部品情報支援システム。
（付記１０）
前記リンクアドレス取得手段は、前記ユーザ端末が選択した部品データに基づいてリンクアドレスデータベースを参照し、該当する部品データに関連付けられるリンクアドレスが前記リンクアドレスデータベースに存在する場合にはそのリンクアドレスにアクセスし、該当する部品データに関連付けられるリンクアドレスが前記リンクアドレスデータベースに存在しない場合には該当する部品メーカのＷｅｂサイトをインターネット上で検索してリンクアドレスを取得し、取得したリンクアドレスを前記リンクアドレスデータベースに蓄積する、付記９に記載の部品情報支援システム。
【００５７】
（付記１１）
前記ユーザ端末からの検索要求および前記ユーザ端末に送信した部品データに関連付けられるリンクアドレスなどの利用者アクセス情報を蓄積する利用者アクセス情報蓄積手段と、
前記利用者アクセス情報を各部品メーカに提供する利用者アクセス情報提供手段と、
をさらに含む、付記１０に記載の部品情報支援システム。
【００５８】
【発明の効果】
本発明では、ＣＡＤシステムを利用して製品の設計を行う設計者が多数の部品カタログなどのデータから最適部品を探す作業の手間を軽減することができ、ＣＡＤ設計段階から参照したい部品の詳細情報がいつでも入手することが可能となり、部品の選別が容易になる。各部品メーカが提供する部品の詳細情報は、各部品メーカ側で持っているデータベースそのものを利用する形態であるため、製品設計／製造部門でデータベースとして蓄積管理する必要がなく、独自のメンテナンスが一切不要となる。
【００５９】
また、設計ＣＡＤ図面から部品の仕入れ先や数量などを容易に抽出することが可能となり、部品調達が簡単になる。
さらに、部品を提供する部品メーカ側で、利用者情報を把握することができるようになり、営業活動に役立てることが可能となる。
【図面の簡単な説明】
【図１】本発明の１実施形態の説明図。
【図２】そのフローチャート。
【図３】部品配置時のフローチャート。
【図４】配置部品情報参照時のフローチャート。
【図５】他システムとの連携時のフローチャート。
【図１】
2004078486.tif 000007
【図２】
2004078486.tif 000008
【図３】
2004078486.tif 000009
【図４】
2004078486.tif 000010
【図５】
2004078486.tif 000011